(57)【要約】【課題】    充電台などに置いた状態でも着信を認識しやすく、かつ外出時には着信音で周囲に迷惑をかけることの無い、携帯電話の着信の報知を、設定をその都度変更する煩わしさがなく、携帯電話の機能に依存せずに実現する。【解決手段】  携帯電話のバイブレータによる振動を検出して、可聴帯域の音響や可視光を発生する事により着信を報知する装置を、携帯電話の充電台やホルダーに付加することにより、携帯電話の着信報知方法をバイブレータに設定したまま変更することなく、在宅時に携帯電話を充電台やホルダーに装着するだけで着信を逃しにくくなり、そのまま充電台やホルダーからはずして外出すれば、周囲に迷惑をかけずにバイブレータにより着信を受けることが出来る。【選択図】図１
2009290534.tif 000002
【特許請求の範囲】
【請求項１】
携帯電話のバイブレータによる振動を検出する検出手段と、可聴帯域の音響と可視光のいずれか一方もしくは両方を発生し着信を報知する報知手段を具備し、携帯電話のバイブレータによる振動を検出した時に携帯電話に代わって着信を報知することを特徴とする装置。
【請求項２】
無線により情報を伝達する手段を具備し、携帯電話のバイブレータによる振動を検出した時に携帯電話から離れた場所で着信を報知する請求項１に記載の装置。
【請求項３】
携帯電話充電器または携帯電話ホルダーに内蔵された請求項１または請求項２に記載の装置。
【発明の詳細な説明】
【技術分野】
【０００１】
本発明は、携帯電話の着信報知を補助する装置に関するものである。
【背景技術】
【０００２】
携帯電話機においては、着信を報知するための報知手段として、可聴帯域の音響を発するリンガーと、着信を体感可能な振動を発生するバイブレータとが内蔵されており、ユーザの選択によって、何れか一方若しくは両方の報知手段によって着信を報知させることが可能となっている。従って、例えば電車内や映画館内などの公衆中では、リンガーによる報知をオフとすると共に、バイブレータによる報知をオンとすることによって、周囲に迷惑をかけずに着信を受けることが出来る。尚、リンガーによる報知をオフ、バイブレータによる報知をオンとするために、例えば“マナーモード”と称される報知モードが用意されており、キー操作によってマナーモードを設定することが出来る。
【０００３】
外出する際にはマナーモードに設定するなどのキー操作によりバイブレータのみで着信を報知させる状態にし、帰宅して充電台に装着する際にはマナーモードの解除などのキー操作によりリンガーで着信を報知させる設定に変更を行えば、その場に応じた着信報知方法が選択できるが、毎回設定の変更操作が必要になり変更を忘れる可能性がある。  
【０００４】
設定の変更を忘れた場合、バイブレータのみで着信を報知させる状態にしたまま、充電台に装着するとリンガーによる報知が行われないために着信に気付かない場合がある。また、リンガーにより着信を報知させる状態にしたまま、電車内や映画館内などに持ち込むと着信音で周囲に迷惑をかけるという欠点があった。
【０００５】
この改善策として、充電台に装着した際に自動的に着信の報知方法を変更する機能を持つ携帯電話が提案されている。しかし、このような機能を持つ携帯電話に限られ、どの携帯電話でも実現できる方法ではなかった。
【特許文献１】特開２０００−１３４２９３号
【発明の開示】
【発明が解決しようとする課題】
【０００６】
充電台などに置いた状態でも着信を認識しやすく、かつ外出時には着信音で周囲に迷惑をかけることの無い、携帯電話の着信の報知を、設定をその都度変更する煩わしさがなく、また携帯電話の機能に依存せずに実現する。
【課題を解決するための手段】
【０００７】
本発明は、携帯電話のバイブレータによる振動を検出し、可聴帯域の音響と可視光のいずれか一方または両方を発生し、携帯電話に代わって着信を報知する事を主要な特徴とする。
【発明の効果】
【０００８】
本発明の補助装置は、携帯電話の着信の報知方法をバイブレータに設定したままで、充電台やホルダーなどの決められた場所に置くだけで、音響や可視光などの比較的気付きやすい方法で着信を報知する為、着信を逃す事が少なくなる。また、外出時にはその設定を変更することなく、バイブレータによる報知となる為、設定を変更し忘れて着信時に周囲に迷惑をかけることを防げる。
【発明を実施するための最良の形態】
【０００９】
本発明の実施例を以下に示す。
【実施例１】
【００１０】
図１は、本発明装置の１実施例を示すブロック図である。１は本発明装置、２は充電台、３は携帯電話である。本発明装置１は、充電台に貼り付ける等の方法で固定して使用する。
【００１１】
携帯電話３を充電台に装着し、着信があり携帯電話のバイブレータ３１が振動すると、その振動が充電台２を通じて本発明装置１に伝わり、本発明装置１の内部にある振動センサ１１が振動を検出する。センサ１１が検出した振動がバイブレータ３１によるものかどうかを判別器１２で判定し、バイブレータによる振動と判定されるとリンガー１３が鳴動する。
【００１２】
リンガー１３で音響を発生する代わりに可視光を発光するランプやＬＥＤを使用してもよく、音響と可視光の両方でも良い。また、リンガー１３で発生する音響は、単純なブザー音でも音楽でもいずれでも良い。充電台２の代わりに、充電機能を持たないホルダーでも良い。また、本発明装置１は充電台２またはホルダーに内蔵しても良い。
【実施例２】
【００１３】
図２は、請求項２に挙げた無線により情報を伝達する手段を含む場合の実施例を示すブロック図である。２、３、３１は図１と同じである。４は本発明の検出装置、５が本発明の報知装置である。
【００１４】
検出装置４に内蔵された振動センサ１１で振動を検出し、判別器１２バイブレータによる振動と判定されると、送信機４１にて着信情報を送信し、報知装置５の受信機５１でその情報を受信し、リンガー１３が鳴動する。これにより、携帯電話を置いた場所から離れた場所にいる場合でも着信に気付きやすくなる。
【００１５】
リンガー１３で音響を発生する代わりに可視光を発光するランプやＬＥＤを使用してもよく、音響と可視光の両方でも良い。また、リンガー１３で発生する音響は、単純なブザー音でも音楽でもいずれでも良い。充電台２の代わりに、充電機能を持たないホルダーでも良い。また、検出装置４は充電台２またはホルダーに内蔵しても良い。報知装置５は、複数設置しても良い。
【実施例３】
【００１６】
図３は、本発明の１実施例を示す概略図である。１は本発明装置、２は充電台、３は携帯電話である。本発明装置１は、箱状のものに穴１５が開いている単純な構造であり、箱がバイブレータの振動に共振し、音として穴１５から出る。箱が振動の検出手段であるとともに、箱および穴１５が報知手段となっている。
【００１７】
図３は、電気回路を用いない実施例であるが、電気部品および電気回路を用いて、振動の検出およびその判定、音響や可視光の発生を行っても良い。
【産業上の利用可能性】
【００１８】
振動を検出し音響や可視光により着信を報知する装置を提供し、ユーザーがその装置を充電台またはホルダーに付加することにより、携帯電話の機種に関わらず、在宅時に着信を逃しにくく、外出時には周囲に迷惑をかけずに着信を受けることが出来るシステムを、簡便に構築することができる。
【図面の簡単な説明】
【００１９】
【図１】本発明装置の１実施例を示すブロック図である。（実施例１）
【図２】無線により情報を伝達する手段を含む場合の実施例を示すブロック図である。（実施例２）
【図３】本発明の１実施例を示す概略図である。（実施例３）
【符号の説明】
【００２０】
１    本発明装置
２    充電台
３    携帯電話
４    本発明の検出装置
５    本発明の報知装置
１１  振動センサ
１２  判別器
１３  リンガー
１５  穴
３１  携帯電話のバイブレータ
４１  送信機
５１  受信機
【図１】
2009290534.tif 000003
【図２】
2009290534.tif 000004
【図３】
2009290534.tif 000005